(57)【要約】      （修正有）【課題】タンク内に残存する次亜塩素酸ソーダ溶液を容易に抜き取る次亜塩素酸ソーダの注入装置を提供する。【解決手段】本実施形態の次亜塩素酸ソーダの注入装置２０は、次亜塩素酸ソーダ溶液を貯蔵するタンク２１と、前記タンク２１内の前記次亜塩素酸ソーダ溶液を汲み上げる汲み上げポンプ２２と、前記汲み上げポンプ２２によって汲み上げられた前記次亜塩素酸ソーダ溶液を送液する送液管２３と、前記送液管２３を介して送液された前記次亜塩素酸ソーダ溶液を、配水池１１に水を送水する送水管１２に注入する注入部２４と、前記タンク２１内の底面の上方に設けられ、前記タンク内の底面に向かって傾斜する勾配部２６と、前記勾配部２６の下端部から前記タンク２１の外部に延びるドレンプラグ部２７と、を備える。【選択図】図１
2012020256.tif 000002
【特許請求の範囲】
【請求項１】
次亜塩素酸ソーダ溶液を貯蔵するタンクと、
前記タンク内の前記次亜塩素酸ソーダ溶液を汲み上げる汲み上げポンプと、
前記汲み上げポンプによって汲み上げられた前記次亜塩素酸ソーダ溶液を送液する送液管と、
前記送液管を介して送液された前記次亜塩素酸ソーダ溶液を、配水池に水を送水する送水管に注入する注入部と、
前記タンク内の底面の上方に設けられ、前記タンク内の底面に向かって傾斜する勾配部と、
前記勾配部の下端部から前記タンクの外部に延びるドレンプラグ部と、
を備えることを特徴とする次亜塩素酸ソーダの注入装置。
【請求項２】
前記勾配部の下端部に設けられ、前記タンク内に残存する前記次亜塩素酸ソーダ溶液が溜まる溜まり部と、
前記タンク内の前記次亜塩素酸ソーダ溶液の液位を検出する液位検出部と、
を備え、
前記汲み上げポンプの吸い込み口を、前記溜まり部内に延ばしたことを特徴とする請求項１記載の次亜塩素酸ソーダの注入装置。
【請求項３】
前記送液管は、当該送液管よりも径大な保護管内に当該保護管の内周面と隙間を有して配置され、
前記送液管の外周面と前記保護管の内周面との間の隙間に通水する通水部を備えることを特徴とする請求項１または２に記載の次亜塩素酸ソーダの注入装置。
【請求項４】
前記送水管内を流れる水を、前記ドレンプラグ部から前記タンク内に流入させる流入部を備えることを特徴とする請求項１または２に記載の次亜塩素酸ソーダの注入装置。
【請求項５】
前記送液管は、当該送液管よりも径大な保護管内に当該保護管の内周面と隙間を有して配置され、
前記送水管内を流れる水を、前記送液管の外周面と前記保護管の内周面との間の隙間に通水する通水部と、
前記送水管内を流れる水を、前記ドレンプラグ部から前記タンク内に流入させる流入部と、
前記送水管内を流れる水を、前記通水部または前記流入部の何れか一方に切り替えて供給する切替弁と、
を備えることを特徴とする請求項１または２に記載の次亜塩素酸ソーダの注入装置。
【発明の詳細な説明】
【技術分野】
【０００１】
本発明の実施形態は、次亜塩素酸ソーダの注入装置に関する。
【背景技術】
【０００２】
従来より、丘陵地などの高台に設置された配水池に河川などからの水を送水管を介して送水する設備には、浄水処理（殺菌や消毒など）用の次亜塩素酸ソーダ溶液を注入するための注入装置が備えられている。この種の次亜塩素酸ソーダの注入装置においては、次亜塩素酸ソーダ溶液の安定した注入動作を維持できるように、当該次亜塩素酸ソーダ溶液を貯蔵するタンクの保守作業が不可欠である。この保守作業を行う際には、タンク内に残存する次亜塩素酸ソーダ溶液を当該タンク外に抜き取る作業が必要である。しかしながら、タンク内に残存する次亜塩素酸ソーダ溶液は抜き取り難く、現状では、作業者が、例えば手動ポンプを用いて手作業によって抜き取ることが行われている。
【先行技術文献】
【特許文献】
【０００３】
【特許文献１】特開２００５−１６９１６１号公報
【特許文献２】特開２０００−１８９９７９号公報
【発明の概要】
【発明が解決しようとする課題】
【０００４】
そこで、タンク内に残存する次亜塩素酸ソーダ溶液を容易に抜き取ることができる次亜塩素酸ソーダの注入装置を提供する。
【課題を解決するための手段】
【０００５】
本実施形態の次亜塩素酸ソーダの注入装置は、次亜塩素酸ソーダ溶液を貯蔵するタンクと、前記タンク内の前記次亜塩素酸ソーダ溶液を汲み上げる汲み上げポンプと、前記汲み上げポンプによって汲み上げられた前記次亜塩素酸ソーダ溶液を送液する送液管と、前記送液管を介して送液された前記次亜塩素酸ソーダ溶液を、配水池に水を送水する送水管に注入する注入部と、前記タンク内の底面の上方に設けられ、前記タンク内の底面に向かって傾斜する勾配部と、前記勾配部の下端部から前記タンクの外部に延びるドレンプラグ部と、を備える。
【図面の簡単な説明】
【０００６】
【図１】第１実施形態に係る配水設備の概略構成を示す図
【図２】次亜塩素酸ソーダの注入装置の概略構成を示す図
【図３】第２実施形態に係る図２相当図
【図４】第３実施形態に係る図２相当図
【図５】第４実施形態に係る図２相当図
【図６】第６実施形態に係る図１相当図
【発明を実施するための形態】
【０００７】
以下、複数の実施形態による次亜塩素酸ソーダの注入装置を、図面を参照して説明する。なお、各実施形態において実質的に同一の構成部位には同一の符号を付し、説明を省略する。
（第１実施形態）
まず、第１実施形態について、図１および図２を参照して説明する。図１に示す配水設備１０は、配水池１１と、送水管１２と、配水管１３とを備えている。配水池１１は、例えば丘陵地などの高台に設置されており、内部に所定容量（例えば１万トン）の水を貯水可能である。送水管１２は、送水ポンプ１４と、送水弁１５と、送水流量計１６とを備えている。送水ポンプ１４は、送水管１２の上流側に設けられ、河川などからの水を送水管１２を介して配水池１１に送水する。送水弁１５は、送水管１２を介して配水池１１に送水される水の流量を調節する。送水流量計１６は、送水管１２を介して配水池１１に送水される水の流量を検出する。配水管１３は、配水弁１７と、残塩濃度計１８とを備えている。配水弁１７は、配水管１３を介して水の需要家などに配水される水の流量を調節する。残塩濃度計１８は、配水管１３を介して水の需要家などに配水される水に含まれる次亜塩素酸ソーダの濃度（残塩濃度）を検出する。なお、配水池１１内の水は、自然流下により、配水管１３を通して配水される。
【０００８】
この配水設備１０には、送水管１２内を流れる水に浄水処理（殺菌や消毒など）用の次亜塩素酸ソーダ溶液を注入するための次亜塩素酸ソーダの注入装置２０が備えられている。この注入装置２０は、タンク２１と、汲み上げポンプ２２と、送液管２３と、注入部２４と、液位計２５（液位検出部に相当）とを備えている。タンク２１は、例えば硬質のポリ塩化ビニルで構成され、全体としてほぼ矩形容器状をなしており、小形容量では例えば１００リットル用のものがあり、内部に次亜塩素酸ソーダ溶液を貯蔵する。タンク２１は、上部に投入口２１ａを有しており、この投入口２１ａからタンク２１内に次亜塩素酸ソーダ溶液が充填される。なお、この投入口２１ａには、当該投入口２１ａを塞ぐ蓋（図示せず）が着脱可能、或いは、開閉可能に備えられている。汲み上げポンプ２２は、この場合、タンク２１内に配設された浸漬型の定量ポンプで構成され、その揚水作用により、タンク２１内の次亜塩素酸ソーダ溶液を汲み上げる。なお、汲み上げポンプ２２は、タンク２１の内部に設置される浸漬型のポンプに限られるものではなく、タンク２１の外部に設置してもよい。要は、タンク２１内の次亜塩素酸ソーダ溶液を当該タンク２１の外部に排出できる構成であればよい。タンク２１は、換気設備を備え耐薬塗装を施した専用室内に設置されることが多い。
【０００９】
送液管２３は、汲み上げポンプ２２によって汲み上げられた次亜塩素酸ソーダ溶液を送液するための管路である。この場合、送液管２３は、その一部（図１では中間部）がタンク２１側から注入部２４側に向かって傾斜しており、当該送液管２３内の次亜塩素酸ソーダ溶液を注入部２４側に流れ易くした構成である。送液管２３は、当該送液管２３よりも径大な保護管２３ａ内に当該保護管２３ａの内周面と隙間を有して配置され、二重管構造とされている。なお、送液管２３は、軟質の樹脂材料で構成してもよいが、保護管２３ａは、耐衝撃性を有する硬質のポリ塩化ビニルなどで構成することが好ましい。注入部２４は、タンク２１内から送液管２３を介して送液された次亜塩素酸ソーダ溶液を、配水池１１に水を送水する送水管１２に注入する。この場合、注入部２４は、サイホン現象の発生を抑えるサイホン防止型の逆止弁で構成されている。液位計２５は、タンク２１内に残存する次亜塩素酸ソーダ溶液の液位を検出する。
【００１０】
また、配水設備１０は、当該配水設備１０の動作全般を制御するための制御装置（図示せず）を備えている。具体的には、この制御装置には、送水ポンプ１４の運転信号（送水ポンプ１４の運転状態を示す信号）、送水流量計１６の検出信号（送水管１２を介して配水池１１に送水される水の流量を示す信号）、残塩濃度計１８の検出信号（配水管１３を介して水の需要家などに配水される水に含まれる次亜塩素酸ソーダの濃度を示す信号）、液位計２５の検出信号（タンク２１内に残存する次亜塩素酸ソーダ溶液の液位を示す信号）などが入力される。そして、制御装置は、これら各種の入力信号に基づいて汲み上げポンプ２２の駆動を制御することにより、送水管１２への次亜塩素酸ソーダ溶液の注入量を調節する。制御装置は、送水ポンプ１４の運転状態に連動して、即ち、送水ポンプ１４の運転中に、汲み上げポンプ２２の駆動を制御する。なお、汲み上げポンプ２２は、手動操作により、送水ポンプ１４の停止中においても駆動することが可能である。
【００１１】
次に、上述の注入装置２０の構成、特にタンク２１およびその周辺部分の構成について図２を参照しながら説明する。注入装置２０は、さらに勾配部２６と、ドレンプラグ部２７とを備えている。勾配部２６は、タンク２１内の底面の上方に設けられている。即ち、タンク２１の底部は、勾配部２６によって上げ底となっている。また、この勾配部２６は、タンク２１内の底面に向かって傾斜している。そして、この勾配部２６の下端部には、所定の容積を有する溜まり部２８が設けられている。この溜まり部２８内には、タンク２１内に残存する次亜塩素酸ソーダ溶液が溜まる。溜まり部２８の容積は、適宜変更して設計することができる。
【００１２】
ドレンプラグ部２７は、勾配部２６の下端部の溜まり部２８からタンク２１の外部に延びている。この場合、ドレンプラグ部２７は、勾配部２６が延びる方向（図２では右側から左側に向かう方向）とは反対方向（図２では左側から右側に向かう方向）に延び、且つ、下方に傾斜している。ドレンプラグ部２７の先端部には、図示しない開閉弁が備えられている。また、ドレンプラグ部２７の先端部には、当該先端部の開口を塞ぐ蓋（図示せず）が着脱可能、或いは、開閉可能に備えられている。なお、溜まり部２８の底板２８ａの先端部（図２では右側の端部）は、ドレンプラグ部２７の基端部（図２では左側の端部）内に挿入され当該ドレンプラグ部２７の基端部に密着した状態で重なっている。これにより、溜まり部２８の出口部分、換言すれば、ドレンプラグ部２７の入口部分には、段差部２９が形成されている。
【００１３】
このような構成により、タンク２１内に残存する次亜塩素酸ソーダ溶液は、重力によって自然に流下しながら勾配部２６の傾斜に沿って溜まり部２８内に溜まる。そして、溜まり部２８内に溜まった次亜塩素酸ソーダ溶液は、当該溜まり部２８において折り返され、さらに段差部２９を通過してドレンプラグ部２７内に流入する。そして、ドレンプラグ部２７内に流入した次亜塩素酸ソーダ溶液は、重力によって自然に流下しながらドレンプラグ部２７の傾斜に沿って当該ドレンプラグ部２７の先端部側に流れる。このようにドレンプラグ部２７を溜まり部２８から折り返して設けたので、注入装置２０（特にタンク２１部分）をコンパクトに構成することができる。なお、ドレンプラグ部２７は、溜まり部２８から折り返して設けるのではなく、溜まり部２８から勾配部２６の延びる方向に沿ってタンク２１から突出するように設ける構成としてもよい。
【００１４】
液位計２５は、液位検出用の電極２５ａを備えており、その電極２５ａの下端部は、汲み上げポンプ２２の吸い込み口２２ａの下端部よりも所定高さＨｐ１だけ高い位置まで延びている。従って、液位計２５は、汲み上げポンプ２２の吸い込み口２２ａの下端部よりも所定高さＨｐ１だけ高い液位、および、当該液位よりも高い液位を検出可能に構成されている。なお、所定高さＨｐ１は、タンク２１の容量や汲み上げポンプ２２の吸い込み性能などに応じて適宜変更して設定することができる。また、液位計２５は、電極式の構成に限られるものではなく、例えば水圧によって液位を検出する構成のものでもよい。制御装置は、液位計２５の検出信号の有無に基づいて、タンク２１内に貯蔵（残存）されている次亜塩素酸ソーダ溶液の液位が、液位計２５の電極２５ａの下端部よりも高いか否かを判断する。そして、制御装置は、タンク２１内の次亜塩素酸ソーダ溶液の液位が電極２５ａの下端部よりも高いと判断した場合には、汲み上げポンプ２２を駆動させ、電極２５ａの下端部よりも低いと判断した場合には、汲み上げポンプ２２を停止させる。これにより、汲み上げポンプ２２が空気を吸い込んでしまうこと（エアがみ）が防止される。
【００１５】
次に、上記構成の次亜塩素酸ソーダ溶液の注入装置２０の保守作業について説明する。注入装置２０においては、次亜塩素酸ソーダ溶液の安定した注入動作を維持できるように、当該次亜塩素酸ソーダ溶液を貯蔵するタンク２１の保守作業が不可欠である。この保守作業を行う場合には、タンク２１内に残存する次亜塩素酸ソーダ溶液を当該タンク２１外に抜き取るために、ドレンプラグ部２７の先端部の開閉弁および蓋を開く。これにより、タンク２１内に残存する次亜塩素酸ソーダ溶液は、タンク２１内の底面に向かって傾斜する勾配部２６、この勾配部２６の下端部の溜まり部２８、この溜まり部２８からタンク２１の外部に向かって下方に傾斜して延びるドレンプラグ部２７に沿って、重力によって自然に流下し、ドレンプラグ部２７の先端部から排出される。
【００１６】
本実施形態によれば、タンク２１内に残存する次亜塩素酸ソーダ溶液を滞留させることなく、当該次亜塩素酸ソーダ溶液を自然流下させながら容易に抜き取ることができる。また、このようにタンク２１内の次亜塩素酸ソーダ溶液を容易に抜き取ることが可能なので、タンク２１の保守作業の簡素化を図ることができる。
【００１７】
（第２実施形態）
図３は第２実施形態を示す。この第２実施形態は、タンク２１の構成が、上述の実施形態とは異なっている。
即ち、汲み上げポンプ２２は、タンク２１の内部において溜まり部２８の上方に配置されている。そして、汲み上げポンプ２２の吸い込み口２２ａは、溜まり部２８内に延びている。なお、汲み上げポンプ２２は、タンク２１の外部において溜まり部２８の上方に配置してもよい。この場合も、汲み上げポンプ２２の吸い込み口２２ａは、溜まり部２８内に延びた構成とする。
【００１８】
また、液位計２５の電極２５ａの下端部は、溜まり部３３の満水時の液位（この場合、汲み上げポンプ２２の吸い込み口２２ａの下端部よりも所定高さＨｐ２だけ高い液位）とほぼ同じ高さまで延びている。従って、液位計２５は、汲み上げポンプ２２の吸い込み口２２ａの下端部よりも所定高さＨｐ２だけ高い液位（溜まり部３３の満水時の液位）、および、当該液位よりも高い液位を検出可能に構成されている。なお、所定高さＨｐ２は、タンク２１の容量、溜まり部３３の容量、汲み上げポンプ２２の吸い込み性能などに応じて適宜変更して設定することができる。制御装置は、液位計２５の検出信号の有無に基づいて、タンク２１内に貯蔵（残存）されている次亜塩素酸ソーダ溶液の液位が、液位計２５の電極２５ａの下端部の高さ、即ち、溜まり部３３の満水時の液位よりも高いか否かを判断する。そして、制御装置は、タンク２１内の次亜塩素酸ソーダ溶液の液位が電極２５ａの下端部の高さ（溜まり部３３の満水時の液位）よりも高いと判断した場合には、汲み上げポンプ２２を駆動させ、電極２５ａの下端部よりも低いと判断した場合には、汲み上げポンプ２２を停止させる。
【００１９】
本実施形態によれば、汲み上げポンプ２２は、タンク２１内の次亜塩素酸ソーダ溶液を、その残存量が溜まり部２８の満水時における液量となるまで汲み上げることができる。これにより、タンク２１内の次亜塩素酸ソーダ溶液の残存量を溜まり部２８の満水時における液量に低減することができ、タンク２１の保守作業の際に、タンク２１内から抜き取る次亜塩素酸ソーダ溶液の量を一層低減することができる。また、タンク２１内の次亜塩素酸ソーダ溶液を一層容易に抜き取ることが可能となり、タンク２１の保守作業の一層の簡素化を図ることができる。
【００２０】
（第３実施形態）
図４は第３実施形態を示す。この第３実施形態では、送液管２３およびその周辺部分の構成が、上述の実施形態とは異なっている。
即ち、保護管２３ａの上流側部分（タンク２１側部分）には、通水弁３０（通水部に相当）が分岐して設けられている。一方、保護管２３ａの下流側部分（注入部２４側部分）には、排水弁３１が分岐して設けられている。通水弁３０は、図示しない水源からの水を、送液管２３の外周面と保護管２３ａの内周面との間の隙間に通水する。排水弁３１は、送液管２３の外周面と保護管２３ａの内周面との間の隙間を通過した水を外部に排水する。なお、送液管２３の外周面と保護管２３ａの内周面との間の隙間に通水する水は、例えば井戸水、湧水、地下配管の多い水道水など極力低温の水であることが好ましい。
次亜塩素酸ソーダは、温度上昇に伴って分解し易く、ガス（特には塩素ガス）を発生させ易い。そして、このようなガスが送液管２３に滞留すると、当該送液管２３内において次亜塩素酸ソーダ溶液が流れ難くなり、また、滞留するガスの量が多くなると、次亜塩素酸ソーダ溶液が全く流れなくなる場合もあり得る。
【００２１】
本実施形態によれば、送液管２３内を流れる次亜塩素酸ソーダ溶液を、送液管２３の外周面と保護管２３ａの内周面との間の隙間を流れる水によって冷却することができる。これにより、次亜塩素酸ソーダ溶液からのガスの発生を抑えることができ、送液管２３内における次亜塩素酸ソーダ溶液の流れを安定化させることができる。
【００２２】
（第４実施形態）
図５は第４実施形態を示す。この第４実施形態では、ドレンプラグ部２７およびその周辺部分の構成が、上述の実施形態とは異なっている。
即ち、三方弁４０は、入水部４０ａと、出水部４０ｂ（流入部に相当）とを備えている。三方弁４０の入水部４０ａは、送水管１２に接続されている。三方弁４０の出水部４０ｂは、ドレンプラグ部２７の先端部に接続されている。
【００２３】
この構成において、タンク２１の保守作業を行う際には、上述の第１実施形態と同様に、タンク２１内に残存する次亜塩素酸ソーダ溶液を、自然流下を利用してドレンプラグ部２７の先端部から排出する。そして、ドレンプラグ部２７の先端部を図示しない蓋によって塞ぐ。
次に、送水管１２内を流れる水の一部を、三方弁４０の入水部４０ａから入水し、三方弁４０の出水部４０ｂからドレンプラグ部２７内に出水する。このようにしてドレンプラグ部２７内に供給された水は、当該ドレンプラグ部２７内を逆流し、溜まり部２８を介してタンク２１内に供給される。即ち、送水管１２内を流れる水の一部を、ドレンプラグ部２７からタンク２１内に流入（逆流）させる構成である。そして、タンク２１内の水量が所定水量（この場合、少なくとも溜まり部２８の満水時の水位を超える水量）に達したら、汲み上げポンプ２２を駆動させて、タンク２１内の水を、送液管２３を介して注入部２４から送水管１２に注入する。
【００２４】
本実施形態によれば、タンク２１内に残存する次亜塩素酸ソーダ溶液を抜き取った後に、ドレンプラグ部２７、つまり、タンク２１の出口部分から当該タンク２１内に水を流入することにより、タンク２１内に残る付着物や固化物を溶解させて除去することができ、タンク２１内を洗浄することができる。さらに、タンク２１内に供給した水を、汲み上げポンプ２２、送液管２３、注入部２４を通すことで、これら汲み上げポンプ２２内、送液管２３内、注入部２４内を洗浄することができる。
【００２５】
このように注入装置２０の各部を洗浄することで、次亜塩素酸ソーダ溶液の注入動作の一層の安定化を図ることができる。また、注入装置２０の各部に残る次亜塩素酸ソーダ溶液を除去することで、保守作業後における次亜塩素酸ソーダ溶液の注入量（濃度）の調節を精度良く行うことができる。
また、注入装置２０の各部の洗浄に用いる水をとして、送水管１２内を流れる水の一部を利用し、しかも、洗浄に供した水を送水管１２に戻すように構成した。従って、洗浄用の水を新たに用意する必要が無く、水資源やコストの節約を図ることができる。
【００２６】
（第５実施形態）
図６は第５実施形態を示す。この第５実施形態では、ドレンプラグ部２７およびその周辺部分の構成、並びに、通水部の構成が、上述の実施形態とは異なっている。
即ち、三方弁５０（切替弁に相当）は、入水部５０ａと、第１出水部５０ｂ（流入部に相当）と、第２出水部５０ｃ（通水部に相当）とを備えている。三方弁５０の入水部５０ａは、送水管１２に接続されている。三方弁５０の第１出水部５０ｂは、ドレンプラグ部２７の先端部に接続されている。三方弁５０の第２出水部５０ｃは、保護管２３ａに接続されている。この三方弁５０は、入水部５０ａから入水した水を出水する出水部を、第１出水部５０ｂまたは第２出水部５０ｃの何れか一方に切り替える。即ち、三方弁５０は、送水管１２内を流れる水の一部を、送液管２３の外周面と保護管２３ａの内周面との間の隙間、または、ドレンプラグ部２７の先端部の何れか一方に切り替えて供給する。
保護管２３ａの下流側部分に接続された排水弁３１は、バイパス管５１を介して配水管１３に接続されている。この場合、バイパス管５１は、配水管１３の配水弁１７よりも下流側であって、且つ、残塩濃度計１８よりも上流側に接続されている。
【００２７】
この構成において、タンク２１の保守作業を行う際には、上述の第１実施形態と同様に、タンク２１内に残存する次亜塩素酸ソーダ溶液を、自然流下を利用してドレンプラグ部２７の先端部から排出する。そして、ドレンプラグ部２７の先端部を図示しない蓋によって塞ぐ。そして、三方弁５０の出水部を第１出水部５０ｂ側に切り替える。
次に、送水管１２内を流れる水の一部を、三方弁５０の入水部５０ａから入水し、三方弁５０の第１出水部５０ｂからドレンプラグ部２７内に出水する。このようにしてドレンプラグ部２７内に供給された水は、当該ドレンプラグ部２７内を逆流し、溜まり部２８を介してタンク２１内に供給される。そして、タンク２１内の水量が所定水量（この場合、少なくとも液位計２５の電極２５ａの下端部の高さを超える水量）に達したら、汲み上げポンプ２２を駆動させて、タンク２１内の水を、送液管２３を介して注入部２４から送水管１２に注入する。これにより、注入装置２０の各部を洗浄することができる。
【００２８】
一方、次亜塩素酸ソーダ溶液の注入動作時には、三方弁５０の出水部を第２出水部５０ｃ側に切り替える。そして、送水管１２内を流れる水の一部を、三方弁５０の入水部５０ａから入水し、三方弁５０の第２出水部５０ｃから保護管２３ａ内、つまり、送液管２３の外周面と保護管２３ａの内周面との間の隙間に通水する。これにより、送液管２３内を流れる次亜塩素酸ソーダ溶液を冷却することができ、ガスの発生を抑えて、次亜塩素酸ソーダ溶液の流れを安定化させることができる。なお、三方弁５０の第２出水部５０ｃから送液管２３の外周面と保護管２３ａの内周面との間の隙間に通水した水は、排水弁３１を開くことで、バイパス管５１を介して配水管１３に注入される。即ち、送水管１２内を流れる水の一部を、配水池１１を経由することなく配水管１３に供給することが可能である。
【００２９】
以上のように各実施形態の次亜塩素酸ソーダの注入装置は、次亜塩素酸ソーダ溶液を貯蔵するタンクと、前記タンク内の前記次亜塩素酸ソーダ溶液を汲み上げる汲み上げポンプと、前記汲み上げポンプによって汲み上げられた前記次亜塩素酸ソーダ溶液を送液する送液管と、前記送液管を介して送液された前記次亜塩素酸ソーダ溶液を、配水池に水を送水する送水管に注入する注入部と、前記タンク内の底面の上方に設けられ、前記タンク内の底面に向かって傾斜する勾配部と、前記勾配部の下端部から前記タンクの外部に延びるドレンプラグ部と、を備える。この構成によれば、タンク内に残存する次亜塩素酸ソーダ溶液を容易に抜き取ることができる。
【００３０】
なお、次亜塩素酸ソーダの注入装置に対し同時に複数の実施形態を適用してもよい。
上述の各実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００３１】
図面中、１１は配水池、１２は送水管、２０は次亜塩素酸ソーダの注入装置、２１はタンク、２２は汲み上げポンプ、２３は送液管、２３ａは保護管、２４は注入部、２５は液位計（液位検出部）、２６は勾配部、２７はドレンプラグ部、２８は溜まり部、３０は通水弁（通水部）、４０ｂは出水部（流入部）、５０は三方弁（切替弁）、５０ｂは第１出水部（流入部）、５０ｃは第２出水部（通水部）を示す。
【図１】
2012020256.tif 000003
【図２】
2012020256.tif 000004
【図３】
2012020256.tif 000005
【図４】
2012020256.tif 000006
【図５】
2012020256.tif 000007
【図６】
2012020256.tif 000008